(57)【要約】【課題】重量のある物を干すことができるとともに互いに重ねて収納することができる清掃用具の提供。【解決手段】  清掃用具１は、開口２ａが形成された本体部２と、乾燥部３と、支持部４と、を主に有している。乾燥部３は、開口２ａの縁２３に載置された乾燥位置と、開口２ａと干渉しない位置である収納位置とを移動可能である。支持部４は、縁２３に設けられ、乾燥部３を回動可能に保持している。清掃用具１の本体部２は、上方から見て略Ｕ字状をなしている。【選択図】図１
0003214229.tif 000002
【実用新案登録請求の範囲】
【請求項１】
開口が形成された本体部と、
前記開口の縁に載置された乾燥位置と、前記開口と干渉しない位置である収納位置とを移動可能な乾燥部と、
前記縁に設けられ、前記乾燥部を回動可能に保持する支持部と、を有することを特徴とする清掃用具。
【請求項２】
前記本体部は、前記開口に直交する方向から見て、直線状の直線部と、前記直線部の両端を略Ｕ字状に繋ぐＵ字状部と、からなる形状であって、
前記支持部は、前記直線部に設けられていることを特徴とする請求項１に記載の清掃用具。
【請求項３】
使用者が把持する柄と、
前記本体部に設けられ、前記柄を回動可能に支持する柄支持部と、をさらに有し、
前記支持部は、前記乾燥部が収納位置にあるとき、前記乾燥部と前記本体部とが離間するように前記乾燥部を固定する固定部と、一の清掃用具を他の清掃用具に重ねる際に他の清掃用具の支持部と当接する当接部と、前記固定部に対して前記当接部と反対側に位置する被当接部と、を有し、
前記一の清掃用具を前記他の清掃用具に重ねる際に、前記一の清掃用具の前記被当接部と前記他の清掃用具の前記当接部とが当接するとともに、前記一の清掃用具の前記柄支持部と前記他の清掃用具の前記縁とが当接することを特徴とする請求項１または２に記載の清掃用具。
【考案の詳細な説明】
【技術分野】
【０００１】
本考案は、清掃用具に関するものである。
【背景技術】
【０００２】
従来の物干しのできるバケツは、バケツの柄が２つ設けられていて、各柄の角度を調整することによって雑巾等を干すことができる（例えば、特許文献１）。バケツは楕円形状をなしており、柄はバケツの側面に左右対称に設けられている。
【０００３】
特許文献２に記載の雑巾ハンガー起軸穴では、柄の部分から複数のハンガーを取り出すことができ、当該ハンガーに雑巾等を干すことができる。
【先行技術文献】
【特許文献】
【０００４】
【特許文献１】特開２０１３−６６６７９号公報
【特許文献２】実開昭４８−６０８３８号公報
【考案の概要】
【考案が解決しようとする課題】
【０００５】
しかし、上記のバケツでは、柄やハンガーの角度を調整することによって雑巾等を干していたため、水分を含んだ重量のあるタオル類等を干すと角度がずれてしまう可能性があった。さらに、バケツを互いに重ねる際に、柄の部分が互いに干渉してしまい、重ねることが難しくなっていた。
【０００６】
そこで、本考案では、重量のある物を干すことができるとともに互いに重ねて収納することができる清掃用具を提供することを目的とする。
【課題を解決するための手段】
【０００７】
上記課題を解決するために本考案は、開口が形成された本体部と、前記開口の縁に載置された乾燥位置と、前記開口と干渉しない位置である収納位置とを移動可能な乾燥部と、前記縁に設けられ、前記乾燥部を回動可能に保持する支持部と、を有することを特徴とする清掃用具を提供している。
【０００８】
このような構成によると、乾燥位置では乾燥部が開口の縁に載置されているため、水を含んだ重い雑巾等を乾燥部に干した場合であっても、乾燥部が雑巾等の重みにより移動することなく安定して雑巾等を干すことができる。また、収納位置では乾燥部が開口と干渉しないため、清掃用具で雑巾等を濯ぐ際に乾燥部が作業の邪魔にならずに円滑に作業を行うことができる。
【０００９】
また、前記本体部は、前記開口に直交する方向から見て、直線状の直線部と、前記直線部の両端を略Ｕ字状に繋ぐＵ字状部と、からなる形状であって、前記支持部は、前記直線部に設けられていることが好ましい。
【００１０】
このような構成によると、本体部は直線部とＵ字状部とから構成されているため、一の清掃用具と他の清掃用具とを重ねる際に重ねる位置を一定にすることができる。仮に、本体部が円形状の場合には、一の清掃用具と他の清掃用具は、円周方向において任意の位置で重ねることができる。そうすると、清掃用具の柄等が互いに引っ掛かる等して重なっている清掃用具を分離し難いなどの問題があった。しかし、本件考案では、一の清掃用具と他の清掃用具を重ねる際には常に円周方向の位置が同じでなければ重ならない形状を有しているため、柄等の引っかかりを最小限に抑えることができる。
【００１１】
また、使用者が把持する柄と、前記本体部に設けられ、前記柄を回動可能に支持する柄支持部と、をさらに有し、前記支持部は、前記乾燥部が収納位置にあるとき、前記乾燥部と前記本体部とが離間するように前記乾燥部を固定する固定部と、一の清掃用具を他の清掃用具に重ねる際に他の清掃用具の支持部と当接する当接部と、前記固定部に対して前記当接部と反対側に位置する被当接部と、を有し、前記一の清掃用具を前記他の清掃用具に重ねる際には、前記一の清掃用具の前記被当接部と前記他の清掃用具の前記当接部とが当接するとともに、前記一の清掃用具の前記柄支持部と前記他の清掃用具の前記縁とが当接することが好ましい。
【００１２】
このような構成によると、一の清掃用具と他の清掃用具とを重ねる際に一の清掃用具の被当接部と他の清掃用具の当接部とが当接するとともに一の清掃用具の柄支持部と他の清掃用具の縁とが当接するため、一の清掃用具と他の清掃用具とを安定して重ねることができる。また、一の清掃用具の柄支持部と他の清掃用具の縁とが当接するため、一の清掃用具の縁と他の清掃用具の縁との間に距離ができ縁を把持しやすくなる。これにより、縁を把持して一の清掃用具と他の清掃用具とを簡単に離すことができる。
【考案の効果】
【００１３】
本考案によると、重量のある物を干すことができるとともに互いに重ねて収納することができる清掃用具を提供することができる。
【図面の簡単な説明】
【００１４】
【図１】本考案の実施の形態の清掃用具の乾燥部が乾燥位置にあるときの斜視図。
【図２】本考案の実施の形態の清掃用具の乾燥部が乾燥位置にあるときの側面図。
【図３】本考案の実施の形態の清掃用具の乾燥部が乾燥位置にあるときの平面図。
【図４】本考案の実施の形態の清掃用具の乾燥部が収納位置にあるときの背面図。
【図５】本考案の実施の形態の清掃用具を積み重ねた状態の側面図。
【考案を実施するための形態】
【００１５】
本考案の実施の形態による清掃用具１を、図１乃至図５に基づいて説明する。以下の記載において、平行、直行とは、完全に平行、直行ではなく略平行、略直行を含む概念である。図１のように上下前後左右方向を定義する。
【００１６】
清掃用具１は、本体部２と、乾燥部３と、支持部４と、柄５とから構成される。清掃用具１は、清掃等に用いるバケツであって、雑巾の洗濯等に使用され、使用者は柄５を把持して運搬する。本体部２と、支持部４と、柄５とは、合成樹脂の塩化ビニール、ポリエチレン、ポリプロピレン、ポリスチレン、ポリエステル等からなり射出成型等で形成されている。乾燥部３は、塩化ビニール、ポリエチレン、ポリプロピレン、ポリスチレン、ポリエステル等で形成されてもよく、耐食性を有する金属であってもよい。
【００１７】
本体部２には開口２ａが形成されていて、上方から見て直線状であって後部に位置する直線部２１と、直線部２１の左右方向両端と接続し平面視において略Ｕ字状のＵ字状部２２と、縁２３と、を備えている。本体部２は、Ｕ字状の開口を直線で閉じたような断面形状を成している。直線部２１は左右方向に延び、左右方向中央部分に支持部４が設けられている。
【００１８】
Ｕ字状部２２の前後方向中央部分に柄５が回動可能に接続されている。Ｕ字状部２２は、上方から見て直線状のＵ字直線部２２Ａと、上方から見て円弧状のＵ字円弧部２２Ｂとを備えている。縁２３は本体部２の上端を外側に折り返した形状をなし、直線部２１及びＵ字状部２２に連続的に形成されている。
【００１９】
乾燥部３は、支持部４に回動可能に支持されていて、図１に示す乾燥位置と、図２及び図３に点線で示すとともに図４に実線で示す収納位置との間を移動可能である。乾燥部３が乾燥位置にあるときは乾燥部３が縁２３上に載置され、乾燥部３が収納位置にあるときは乾燥部３と開口２ａとが干渉しない。換言すると、乾燥部３が収納位置にあるときは、平面視において乾燥部３と開口２ａとが重複しない位置にある。乾燥部３は、被支持部３１と、干し部３２と、縁当接部３３と、を備えている。被支持部３１は、支持部４に支持される部分であって、図３及び図４に示すように縁当接部３３から突出する形状をなしている。干し部３２は、雑巾等が引掛けられる部分であって、３本の直線状の軸の両端が縁当接部３３に接続されている。縁当接部３３は、乾燥部３が乾燥位置にあるとき、Ｕ字直線部２２Ａ及び直線部２１の縁２３と当接する部分である。
【００２０】
支持部４は、直線部２１の左右方向中央から後方に突出するように設けられていて、乾燥支持部４１と、固定部４２と、当接部４３と、被当接部４４と、を備えている。支持部４は、図２及び図４に示すように、乾燥支持部４１、固定部４２、及び被当接部４４がそれぞれ設けられた左右方向の両側面と、当該両側面に接続され当接部４３が設けられている上面とから構成されている。乾燥支持部４１は、支持部４の左右方向側面に設けられた貫通孔であって、被支持部３１を回動可能に支承している。固定部４２は、乾燥支持部４１の下方に設けられた切欠きであって、側面視において切欠きの開口部４２ａが狭くなるような形状をしている。固定部４２の開口部４２ａの上下方向の距離は干し部３２の径よりも僅かに狭いため、図２の点線で示すように固定部４２は干し部３２（乾燥部３）を収納位置に固定することができる。当接部４３は支持部４の上面であって、図２に示すように、乾燥部３が乾燥位置にある状態で乾燥部３よりも上方に突出している。被当接部４４は支持部４の下端部であって、固定部４２に対して当接部４３の反対側に設けられている。
【００２１】
柄５は、本体部２に設けられた柄支持部５１によって本体部２に回動可能に支持されている。柄５は、図４に示すように略コ字形状をなし、両端部が僅かに内側に屈曲して柄支持部５１に接続されている。柄支持部５１は略直方体形状をなし、本体部２から外方に突出するように設けられている。
【００２２】
次に、清掃用具１を重ねた状態について図５を参照して説明する。清掃用具１を重ねる時は、乾燥部３を収納位置とし、本体部２を重ね合わせる。このとき、上側の清掃用具１の被当接部４４が下側の清掃用具１の当接部４３に当接し、上側の清掃用具１の柄支持部５１の下面が下側の清掃用具１の縁２３と当接する。これにより、清掃用具１を互いに重ね合わせることができる。上側の清掃用具１は一の清掃用具の一例であり、下側の清掃用具１は他の清掃用具の一例である。
【００２３】
このような構成によると、乾燥位置では乾燥部３が開口２ａの縁２３に載置されているため、水を含んだ重い雑巾等を乾燥部３に干した場合でも乾燥部３が移動することなく安定して雑巾等を干すことができる。また、収納位置では乾燥部３が開口２ａと干渉しないため、清掃用具１で雑巾等を濯ぐ際に乾燥部３が作業の邪魔にならずに円滑に作業を行うことができる。
【００２４】
このような構成によると、本体部２は直線部２１とＵ字状部２２とから構成されているため、一の清掃用具１と他の清掃用具１とを重ねる際に重ねる位置を一定にすることができる。仮に、本体部が円形状の場合には、一の清掃用具と他の清掃用具は、円周方向において任意の位置で重ねることができる。そうすると、清掃用具の柄等が互いに引っ掛かる等して重なっている清掃用具を分離し難いなどの問題があった。しかし、本件考案では、一の清掃用具１と他の清掃用具１を重ねる際には常に円周方向の位置が同じでなければ重ならない形状を有しているため、柄５の引っかかりを最小限に抑えることができる。
【００２５】
このような構成によると、一の清掃用具１と他の清掃用具１とを重ねる際に一の清掃用具１の被当接部４４と他の清掃用具１の当接部４３とが当接するとともに一の清掃用具１の柄支持部５１と他の清掃用具１の縁２３とが当接するため、一の清掃用具１と他の清掃用具１とを安定して重ねることができる。また、一の清掃用具１の柄支持部５１と他の清掃用具１の縁２３とが当接するため、一の清掃用具１の縁２３と他の清掃用具１の縁２３との間に距離ができ縁２３を把持しやすくなる。これにより、縁２３を把持して一の清掃用具と他の清掃用具とを簡単に離すことができる。
【００２６】
本考案の実施の形態は、上述した実施の形態に限定されず、実用新案登録請求の範囲に記載された考案の要旨の範囲内で種々の変更が可能である。
【００２７】
上記の実施の形態では、乾燥部３の縁当接部３３はＵ字直線部２２Ａの縁２３に当接していたが、これに限定されない。例えば、縁当接部はＵ字直線部の縁だけでなくＵ字円弧部の縁に当接するような形状であってもよい。また、乾燥部は、開口の全領域に跨るような形状であってもよい。これにより、より多くの雑巾等を干すことができる。
【符号の説明】
【００２８】
１      清掃用具
２      本体部
２ａ    開口
３      乾燥部
４      支持部
５      柄
２１    直線部
２２    Ｕ字状部
２３    縁
４２    固定部
４３    当接部
４４    被当接部
５１    柄支持部
【図１】
0003214229.tif 000003
【図２】
0003214229.tif 000004
【図３】
0003214229.tif 000005
【図４】
0003214229.tif 000006
【図５】
0003214229.tif 000007